【手続補正書】
【提出日】平成16年4月21日(2004.4.21)
【手続補正１】
【補正対象書類名】明細書
【補正対象項目名】００７６
【補正方法】変更
【補正の内容】
【００７６】
［実施の形態１］
図４に、本発明の情報記録再生処理装置の実施の形態１に係るコンテンツ同時記録再生制御処理におけるプロセス構成、図５に情報記録再生処理装置のハードウェア構成例を示す。


【手続補正２】
【補正対象書類名】明細書
【補正対象項目名】００９５
【補正方法】変更
【補正の内容】
【００９５】
図４を参照して、本実施の形態１の同時記録再生処理について説明する。図４に示す記録制御プロセス４０１、４０２は、例えば記録コンテンツ単位等、新たな記録処理の発生毎に、上位層プロセス（アプリケーション）の制御の下に設定される。


【手続補正３】
【補正対象書類名】明細書
【補正対象項目名】０１１３
【補正方法】変更
【補正の内容】
【０１１３】
次に、本実施の形態におけるコンテンツ記録処理の手順、およびコンテンツ再生処理手順について、図６、図７のフローチャートを参照して説明する。


【手続補正４】
【補正対象書類名】明細書
【補正対象項目名】０１２７
【補正方法】変更
【補正の内容】
【０１２７】
［実施の形態２］
実施の形態１では、再生同期管理情報をシステム起動時あるいはシステムシャットダウン時に自動的に消去されるディレクトリ、例えば揮発性メモリに格納することで、電源遮断後の再起動時に、再生同期管理情報を残存させない構成例について説明した。


【手続補正５】
【補正対象書類名】明細書
【補正対象項目名】０１２８
【補正方法】変更
【補正の内容】
【０１２８】
次に、実施の形態２として、再生同期管理情報を指し示すリンク情報を設定した記録管理情報を生成し、記録管理情報に基づいて再生同期管理情報の強制的な消去処理を実行する例について説明する。


【手続補正６】
【補正対象書類名】明細書
【補正対象項目名】０１２９
【補正方法】変更
【補正の内容】
【０１２９】
図８に、実施の形態２のプロセス構成例を示す。なお、図８には、記録制御プロセス６０１に基づく処理に関連する情報のみを示している。実施の形態２においても、実際のプロセス構成は、図４のプロセス構成と同様再生制御プロセスがあり、また、上位に上位層プロセス（アプリケーション）が存在するが、これらのプロセスの処理は、実施の形態１と同様であり、省略する。記録制御プロセス、再生制御プロセスは、先の実施例と同様、新たなコンテンツ記録または再生処理の発生にともない設定され、プロセスの終了に伴い消去される。


【手続補正７】
【補正対象書類名】明細書
【補正対象項目名】０１３０
【補正方法】変更
【補正の内容】
【０１３０】
本実施の形態も、ハードウェア構成は、図５の構成と同様の構成である。ただし、再生同期管理情報は、メモリ５４２に格納されることなく、ハードディスク５２３等不揮発性メモリに格納することができる。すなわち、再生同期管理情報の格納領域をシステム起動時あるいはシステムシャットダウン時に自動的に消去されるディレクトリや、電源オフによって消去されるメモリ領域以外のデータ記憶領域とすることができる。


【手続補正８】
【補正対象書類名】明細書
【補正対象項目名】０１３７
【補正方法】変更
【補正の内容】
【０１３７】
再生制御プロセスによる再生処理は、先に説明した実施の形態１と同様であり、上位層プロセス（アプリケーション）から、再生管理情報を特定可能な識別子（ＩＤ）を取得して、再生管理情報、再生手順情報に基づく再生処理を実行する。また、再生同期管理情報の有無に基づいて、コンテンツの記録処理が実行されているか否かを判定し、判定に応じた再生制御を行なう。


【手続補正９】
【補正対象書類名】明細書
【補正対象項目名】０１３８
【補正方法】変更
【補正の内容】
【０１３８】
本実施の形態では、システム起動時に記録制御プロセス６０１が、記録管理情報が存在するか否かの検索を実行する。記録管理情報６１３が存在していた場合は、記録動作中に停電等、電源遮断が発生したものとみなし、記録制御プロセス６０１は、検出した記録管理情報６１３中のリンク情報を参照し、リンク情報に基づいて再生同期管理情報６１２を特定し、再生同期管理情報６１２が存在していた場合、その再生同期管理情報６１２を消去する。次に、再生同期管理情報のリンク情報を持つ記録管理情報６１３の消去を実行する。


【手続補正１０】
【補正対象書類名】明細書
【補正対象項目名】０１３９
【補正方法】変更
【補正の内容】
【０１３９】
このように、本実施の形態の構成によれば、コンテンツ記録処理を実行する記録制御プロセスが、記録コンテンツに対して設定される再生管理情報に基づいて、再生管理情報名から一意に定まる再生同期管理情報名を持つ再生同期管理情報と、再生同期管理情報に対するリンク情報を持つ記録管理情報を生成し、システム起動時に、記録制御プロセスが記録管理情報の有無を検出し、記録管理情報が検出された場合には、検出した記録管理情報中のリンク情報に基づいて、再生同期管理情報を検出し、検出した再生同期管理情報を消去し、さらに、検出した記録管理情報の消去を行なう構成としたので、実施の形態１のように、再生同期管理情報をシステム起動時に自動的に消去されるディレクトリ、あるいは揮発性メモリに格納する構成とする必要がなく、例えばコンテンツを格納するハードディスクに再生同期管理情報を格納しても、システム起動時に、記録制御プロセスによる消去処理が実行されることになるので、再生制御プロセスが、残存しているコンテンツ記録中を示すデータに基づいて誤った制御を実行することが防止される。


【手続補正１１】
【補正対象書類名】明細書
【補正対象項目名】０１４０
【補正方法】変更
【補正の内容】
【０１４０】
次に、本実施の形態におけるコンテンツ記録処理の手順、およびシステム起動時における記録制御プロセスの処理手順について、図９、図１０のフローチャートを参照して説明する。


【手続補正１２】
【補正対象書類名】明細書
【補正対象項目名】０１５０
【補正方法】変更
【補正の内容】
【０１５０】
本実施の形態の構成によれば、システム起動時に、記録制御プロセスによって、再生同期管理情報の消去と、再生同期管理情報のリンク情報を持つ記録管理情報の消去処理を実行する構成としたので、実施例１のように、停電等の電源遮断により自動的に消去される設定とすることなく、ハードディスク等の記憶媒体に再生同期管理情報を格納することが可能となり、再生制御プロセスによる誤った制御の発生が防止される。


【手続補正１３】
【補正対象書類名】明細書
【補正対象項目名】０１５１
【補正方法】変更
【補正の内容】
【０１５１】
なお、上述の実施の形態では、コンテンツ記憶媒体としてハードディスクを中心として説明したが、その他の記憶媒体、例えばＤＶＤ、光ディスク、フラッシュメモリ等の各種の記憶媒体にコンテンツを記録する構成においても、本発明は適用可能である。


【手続補正１４】
【補正対象書類名】明細書
【補正対象項目名】０１５２
【補正方法】変更
【補正の内容】
【０１５２】
以上、特定の実施の形態を参照しながら、本発明について詳解してきた。しかしながら、本発明の要旨を逸脱しない範囲で当業者が該実施の形態の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。


【手続補正１５】
【補正対象書類名】明細書
【補正対象項目名】０１６０
【補正方法】変更
【補正の内容】
【０１６０】
また、本発明の実施の形態２の構成によれば、システム起動時に、記録制御プロセスによって、再生同期管理情報の消去と、再生同期管理情報のリンク情報を持つ記録管理情報の消去処理を実行する構成としたので、停電等の電源遮断により自動的に消去される設定とすることなく、ハードディスク等の記憶媒体に再生同期管理情報を格納することが可能となり、再生制御プロセスによる誤った制御の発生が防止される。